(57)【要約】      （修正有）【課題】避難用開口部が確保し難い場所（例えば、エレベータの三方枠により形成される開口部）に設置された防火用スクリーンにおいて、十分な避難開口部を得る。防火用スクリーンのスクリーンドアのメンテナンス時に、スクリーンドア下端の座板が開口枠に当接して開口枠を傷つけることがないようにする。【解決手段】本体シート７０と本体シートの下端に設けた本体部座板９とからなるスクリーン本体７と、ドアシート８０とドアシートの下端に設けたドア部座板１０とからなり、該スクリーン本体７に対して開閉可能かつ自閉可能に設けたスクリーンドア８とを有する防火用スクリーンであり、ドア部座板１０はスクリーンドア８の戸尻側の回動基端部を含む２箇所以上の回動部位でスクリーンドア８の開放方向に回動可能であり、該回動部位は所定の最大回動角度を有しており、少なくとも１つの回動部位の最大回動角度が可変である。【選択図】図１
2006328884.tif 000002
【特許請求の範囲】
【請求項１】
本体シートと本体シートの下端に設けた本体部座板とからなるスクリーン本体と、
ドアシートとドアシートの下端に設けたドア部座板とからなり、該スクリーン本体に対して開閉可能かつ自閉可能に設けたスクリーンドアと、
を有し、
ドア部座板はスクリーンドアの戸尻側の回動基端部を含む２箇所以上の回動部位でスクリーンドアの開放方向に回動可能であり、該回動部位は所定の最大回動角度を有している、
防火用スクリーン。
【請求項２】
少なくとも１つの回動部位の最大回動角度が可変である、請求項１に記載の防火用スクリーン。
【請求項３】
前記回動部位は、回動基端部と、回動基端部寄りに位置して設けた一つの回動部とを有し、
該回動基端部は、開口部の縦枠よりも外側に位置しており、該回動部は、該縦枠よりも開口部側に位置している、請求項１，２いずれかに記載の防火用スクリーン。
【請求項４】
該回動基端部、該回動部の最大回動角度は、スクリーンドア開放時に、ドア部座板が、該縦枠に当接することなく、ドア開放方向に回動して避難用開口を形成できるような角度にそれぞれ設定されている、請求項３に記載の防火用スクリーン。
【請求項５】
前回開口部は、エレベータ三方枠からなる開口部であり、前記縦枠は、エレベータの三方枠の一方の縦枠である、請求項３，４いずれかに記載の防火用スクリーン。
【請求項６】
該回動基端部及び該回動部は丁番から構成されており、丁番の回動角度を設定することで、該回動基端部及び／或いは該回動部の最大回動角度の設定を行う、請求項１乃至５いずれかに記載の防火用スクリーン。
【請求項７】
前記丁番の最大回動角度の設定は、丁番に対して取付位置が可変に設けられた調整プレートを用いて、丁番が所定角度回転した時に、丁番が調整プレートに当接して丁番の回動を規制することで行う、請求項６に記載の防火用スクリーン。
【発明の詳細な説明】
【技術分野】
【０００１】
本発明は、防火用スクリーンに係り、詳しくは、防火用スクリーンに設けた避難用スクリーンドアの下端に設けたドア部座板の構造に関するものである。
【背景技術】
【０００２】
防火用シートシャッター（防火用スクリーン）においては、避難用開口部を設ける必要があるため、防火スクリーンに開閉自在のスクリーンドアを形成して避難用開口部を構成している。このようなスクリーンドアにおいては、防火・遮煙性能を確保するべく、スクリーンドアの戸先側とスクリーン本体との間に重なり部が形成される。さらに、スクリーンドアの下端には、スクリーン本体の下端の座板とは別体のドア部座板を設け、ドア部座板の基端側を、丁番を介してスクリーン本体の座板に回動可能に装着している（特許文献１）。
【０００３】
また、防火スクリーンにスクリーンドアを設ける場合には、(1)スクリーンドアを開放した場合に所定幅の避難開口部が形成されること、(2)スクリーンドアの戸先側に所定幅の重なり部が形成されること、(3)スクリーンドアの戸先側の重なり部の外側に、さらにドアを開放するための所定幅の掴み代が形成されること、等が要求される。したがって、防火スクリーンを設置する場所によっては、従来のスクリーンドアでは不具合が生じる場合がある。
【０００４】
例えば、火災時にエレベータの出入口を防火・防煙性能を有する防火用スクリーンで閉鎖する場合がある。この場合、図８に示すように、スクリーンドアを開放すると、下端の座板ａがエレベータの枠ｂに当たってしまい、それ以上ドアを開放することが困難となる場合がある。
【０００５】
さらに、エレベータの枠ｂには鏡面加工あるいは化粧加工されている場合が多く、メンテナンス時にスクリーンドアを開放させた際に、スクリーンドア下端の座板ａが当接することで枠ｂに傷が付いてしまうおそれがあり、メンテナンス作業を慎重に行う必要があり、作業性が悪くなっていた。
【特許文献１】特開２００４−１５００５０
【発明の開示】
【発明が解決しようとする課題】
【０００６】
本発明は、避難用開口部が確保し難い場所（例えば、エレベータの三方枠により形成される開口部）に設置された防火用スクリーンにおいて、十分な避難開口部を得ることを目的とするものである。
【０００７】
本発明の他の目的は、防火用スクリーンのスクリーンドアのメンテナンス時に、スクリーンドア下端の座板が開口枠に当接して開口枠を傷つけることがないようにすることにある。
【課題を解決するための手段】
【０００８】
かかる課題を達成するために本発明が採用した技術手段は、本体シートと本体シートの下端に設けた本体部座板とからなるスクリーン本体と、ドアシートとドアシートの下端に設けたドア部座板とからなり、該スクリーン本体に対して開閉可能かつ自閉可能に設けたスクリーンドアと、を有し、ドア部座板はスクリーンドアの戸尻側の回動基端部を含む２箇所以上の回動部位でドアの開放方向に回動可能であり、該回動部位は所定の最大回動角度を有している、防火用スクリーンである。「所定の最大回動角度を有している」とは、防火用スクリーンが設置される場所に応じて、スクリーンドアが有効な避難用開口部を形成でき、かつ、ドア部座板が開口部の枠体等に当接することがないような回動角度に設定されているということである。好ましい態様では、少なくとも１つの回動部位の最大回動角度が可変である。一つの態様では、全ての回動部位の最大回動角度が可変であることが望ましい。また、他の好ましい態様では、ドア部座板の回動部位は、回動基端部と、回動基端部寄りに位置して設けた回動部から構成され、ドア部座板はドアの戸尻側の２箇所でドアの開放方向に回動可能である。
【０００９】
一つの好ましい態様では、前記回動部位は、回動基端部と、回動基端部寄りに位置して設けた一つの回動部とを有し、該回動基端部は、開口部の縦枠よりも外側に位置しており、該回動部は、該縦枠よりも開口部側に位置している。さらに好ましくは、該回動基端部及び該回動部の最大回動角度は、スクリーンドア開放時に、ドア部座板が、該縦枠に当接することなく、ドア開放方向に回動して避難用開口を形成できるような角度に設定されている。さらなる態様では、開口部の該縦枠に対する回動基端部の位置（開口幅方向及び開口幅方向に直交する方向）、回動基端部と回動部との間の寸法、回動基端部の最大回動角度、回動部の最大回動角度は、スクリーンドア開放時に、ドア部座板が、該縦枠に当接することなく、該縦枠に近接した該回動部を介してドア開放方向に回動可能なように設定されている。一つの好ましい態様では、ドア部座板が、縦枠に近接した該回動部を介して閉鎖状態に対して略直角するように回動可能に設定される。好ましくは、前回開口部は、エレベータ三方枠からなる開口部であり、前記縦枠は、エレベータの三方枠の一方の縦枠である。また、設置場所によっては、ドア部座板に３つ以上の回動部位を設けてもよい。
【００１０】
一つの好ましい態様では、該回動基端部及び該回動部は丁番から構成されており、丁番の回動角度を設定することで、該回動基端部及び／或いは該回動部の最大回動角度の設定を行う。さらに好ましくは、丁番の最大回動角度を調整可能とすることで、回動基端部及び／或いは回動部の最大回動角度を可変とする。一つの好ましい態様では、丁番の最大回動角度の調整は、丁番に対する取付位置が可変の回動調整プレートを用いて、回動する丁番を回動調整プレートに当接させることによって行う。
【００１１】
スクリーン本体に対して開閉可能かつ自閉可能に設けたスクリーンドアとは、スクリーンドアを開放した後に、勝手にスクリーンドアが閉まって避難開口部を閉鎖するようなスクリーンドアをいい、自閉手段は、後述する実施例のようにドア部座板の重さを用いたもの、あるいは、バネを用いたものが例示される。
【発明の効果】
【００１２】
本発明の防火用スクリーンに設けたスクリーンドアは、十分な避難用開口部が確保し難い場所、特に、スクリーンドアの戸尻側端部が、開口部の縦枠よりも外側に位置している場合（例えば、エレベータの三方枠により形成される開口部に防火用スクリーンを設置した場合）であっても、十分な幅寸法を有する避難開口部を確保することができる。
【００１３】
設置場所に合わせて、ドア部座板の回動部位の最大回動角度を予め設定することで、防火用スクリーンのスクリーンドアのメンテナンス時に、スクリーンドア下端の座板が開口枠に当接して開口枠を損傷してしまうことがなく、円滑なメンテナンス作業を行うことができる。
【発明を実施するための最良の形態】
【００１４】
図１及び図２は、エレベータ及びエレベータの開口部を閉鎖する防火用スクリーンの概略断面図であって、断面視方形状のかご室１には、かご２が上下方向に移動可能に収容されており、かご室１及びかご２には、乗り降り用の開口部が形成されている。かご室１の開口部は左右の縦枠３，４と上枠（図示せず）からなる三方枠によって形成されている。縦枠３，４は、断面視コ字状の化粧板から構成されている。
【００１５】
乗り場には、開口部に近接して防火用スクリーンが設置されている。図３に示すものでは、三連のエレベータのそれぞれの出入り口を、共通の大幅の防火用スクリーンが閉鎖するようになっている。通常時には、防火用スクリーンは、開口部上方のケース５内に設けた巻取シャフトに防火用スクリーンが巻装されて収納されており、火災時に、防火用スクリーンが幅方向両端をガイドレール６に案内されながら降下してエレベータの出入り口を閉鎖する。
【００１６】
防火用スクリーンは、スクリーン本体７とスクリーン本体７に対して開閉可能に設けられたスクリーンドア８とを有しており、スクリーンドア８を開放することで、スクリーン本体７に避難口を形成するように構成されている。図３に示すものでは、各エレベータの出入り口に対応して三つのスクリーンドア８が設けてあり、三つの避難口が形成される。尚、各エレベータの出入り口に対応して、別々の防火用スクリーンを設置してもよい。
【００１７】
スクリーン本体７は、本体シート７０と、本体シート７０の下端に設けた本体部座板９とから構成されている。スクリーンドア８は、ドアシート８０と、ドアシート８０の下端に設けたドア用座板１０とから構成されている。本体シート７０及びドアシート８０は共に耐火シートから構成されている。スクリーンドア８は、それを開放することでスクリーン本体７に避難口を形成できるものであれば、スクリーン本体７の本体シート７０とスクリーンドア８のドアシート８０とが同じシート体から構成されていても、あるいは、別個のシート体（スクリーン本体７に形成された避難用開口部を塞ぐようにして、スクリーンドア８を開閉可能に設ける）から構成されていてもよい。
【００１８】
スクリーンドア８は、ドアシート８０の戸先側が、スクリーン本体７の本体シート７０との間で所定幅の重なり部を形成するように、スクリーン本体７に装着されている。開口部閉鎖時には、スクリーンドア８のドアシート８０とスクリーン本体７の本体シート７０との間の重なり部によって、火災側と非火災側との間に連通孔が形成されるのを防止している。図１、図２に示すように、実施例では、スクリーンドア８は、スクリーン本体７の両面に設けてある。
【００１９】
スクリーン本体７は、エレベータ乗り場の三方枠の開口部を閉鎖できるような幅寸法を有しており、スクリーン本体７の下端には、スクリーン本体７の幅全体に延出する座板９が設けてある。座板９は、垂直状の面部からなる立ち上がり部９０と水平状の面部からなるフラット部９１とから略逆Ｔ形状の断面を有している。座板９は、立ち上がり部９０を介して本体シート７０の下端に連結され、開口部全閉時にはフラット部９１の下面が床面に当接するようになっている。また、立ち上がり部９０は、スクリーンドア８の下端に対応する部位において切り欠かれており、座板９は本体シート７０の幅全体に延出するフラット部９１とスクリーンドア８に対応する部位を切り欠いてなる立ち上がり部９０とから形成されている。
【００２０】
スクリーンドア８の下端には、座板９とは別体のドア部座板１０が設けてある。ドア部座板１０は、板状の立ち上がり部を有しており、立ち上がり部は、座板９の立ち上がり部９０と同様、垂直状の面部からなる。ドア部座板１０は、上述した座板９の立ち上がり部９０の切り欠き部に対応して配設される。ドア部座板１０の一方の端部（スクリーンドア８の戸先側に対応する端部）は自由端であり、一方、ドア部座板１０の他方の端部（スクリーンドア８の戸尻側に対応する端部）は、座板９の立ち上がり部９０に連結されている。スクリーンドア８の下端のドア部座板１０は、戸尻側の回動基端部Ｒ１を介してスクリーンドア８の開放方向に回動可能なように、座板９の立ち上がり部９０に取り付けられている。
【００２１】
図示の実施例では、ドア部座板１０は、本体１００と、第１板状体１１、第２板状体１２、第３板状体１３から構成されている。ドア部座板１０の基端部（戸尻側）は、第１板状体１１を介して本体座板９の立ち上がり部９０に連結されている。第１板状体１１と第２板状体、第２板状体と第３板状体とは、それぞれ、傾斜丁番１４、１５を介して、ドアの開放方向に回動可能に連結されており、丁番１４がドア部座板１０の回動基端部Ｒ１、丁番１５がドア部座板のもう一つの回動部Ｒ２を形成している。傾斜丁番１４は、ピン１４０を介して互いに回動可能に連結された第１板部１４１と第２板部１４２とから構成されている。傾斜丁番１５は、ピン１５０を介して互いに回動可能に連結された第１板部１５１と第２板部１５２とから構成されている。
【００２２】
第１板状体１１は基端側において座板９の立ち上がり部９０に装着されている。第１板状体１１は、立ち上がり部９０と同様に垂直方向に延出する本体１１０と、本体１１０の先端側に一体的に形成した傾斜部１１１とを有している。傾斜部１１１には、第１板部１４１の基端側が固着されており、第１板部１４１の先端側には、丁番１４のピン１４０を受け入れるピン受部１４３が形成されている。
【００２３】
本体１１０は水平状の上辺１１０ａと傾斜状の下辺１１０ｂを有し、下辺１１０ｂは、丁番１４の軸部から離隔する方向に、上方に向かって緩やかに傾斜状に延出している。下辺１１０ｂの延出端には垂直辺１１０ｃと傾斜辺とからなる段部が形成されており、該傾斜辺には本体１１０の面部に対して垂直に延出する取付片１１０ｄが折曲形成されており、取付片１１０ｄには取付孔１１０ｅが形成されている。さらに、第１板状体１１の本体１１０には、丁番１４の軸部に近接する側に円形状の螺子孔１１０ｆが、丁番１４の軸部から離隔する側に円弧状の長孔１１０ｇがそれぞれ形成されている。第１板状体１１は、本体１１０を座板９の立ち上がり部９０の面部に重ねて、穿孔部１１０ｆにおいて、螺子１８を用いて両者を連結する。座板９の立ち上がり部９０には、第１板状体１１の取付片１１０ｄに対向して取付片９２が設けてあり、取付片９２には図示しない螺子孔が形成されている。取付片１１０ｄの螺子孔１１０ｅと取付片９２の螺子孔とに掛け渡すようにして傾斜調整螺子１９が設けてある。傾斜調整螺子１９によって取付片１１０ｄと取付片９２との間隔を変更することで、螺子１８を回動支点として、ドア部座板１０の角度を調整することができる。そして、ドア部座板１０の角度を選択し、長孔１１０ｇにおいて、本体１１０と立ち上がり部９０とを螺子２０によって固定する。ドア部座板１０は（その自重により）先端側（戸先側）が下方に下がる傾向があるので、ドア部座板１０の延出方向に角度を付けることで、予め先端側を上げて装着することが望ましい。特に、開口部閉鎖時には、シートが風圧に対応するためシートを適度に撓ませてあり、座板１０の先端側がより下方に下がり易いものとなっているが、先端側を上げることで、先端側が床面に当接してスクリーンドアが開きにくくなることを防いでいる。
【００２４】
第２板状体１２は、傾斜状の板体であって、その基端側（戸尻側）には、第２板部１４２が固着されており、第２板部１４２には、丁番１４のピン１４０を受け入れるピン受部１４４が形成されている。第２板状体１２の先端側（戸先側）には、丁番１５の第１板部１５１が固着されており、第１板部１５１には、丁番１５のピン１５０を受け入れるピン受部１５３が形成されている。
【００２５】
第３板状体１３は、ドア部座板の本体１００の基端側（戸尻側）に装着されるものであって、ドア部座板の本体１００と同様に、垂直方向に延出する本体１３０と、本体１３０の基端側（戸尻側）に一体的に形成した傾斜部１３１とを有している。傾斜部１３１には、第２板部１５２が固着されており、第２板部１５２には、丁番１５のピン１５０を受け入れるピン受部１５４が形成されている。本体１３０は長方形状を有しており、水平方向に間隔を存して２つの穿孔１３０ａ、１３０ｂが設けてある。第３板状体１３は、本体１３０をドア部座板１０の垂直状の本体１００の面部の基端側に重合させて、穿孔部１３０ａ、１３０ｂにおいて、螺子２１を用いてドア部座板本体１００に固着される。
【００２６】
第１板状体１１において、本体１１０と傾斜部１１１とは段部を形成する連結部１１２を介して連結されている。また、第３板状体１３において、本体１３０と傾斜部１３１とは段部を形成する連結部１３２を介して連結されている。傾斜部１１１、傾斜状の第２板状部材１２、傾斜部１３１、傾斜丁番１４、１５、丁番１４、１５の軸部を構成するピン１４０、１５０は、その下端側が第１板状体１１の本体１１０、ドア部座板１０の本体１００が形成する面から離隔するように傾斜して設けられている。そして、第１板状体１１と第２板状体１２、第２板状体１２と第３板状体１３とは、傾斜丁番１４、１５の傾斜状の姿勢を有するピン１４０，１５０を介して互いに回動可能に連結されており、スクリーンドア８の閉鎖状態において、丁番１４，１５の軸部を構成するピン１４０，１５０は、その下端側がスクリーンドアの面から離隔するように傾斜する。
【００２７】
丁番１４、１５において、ドアの開放方向側（表側という）には回動調整プレート１６が、裏側には、回動規制プレート１７がそれぞれ設けてある。ドア部座板１０の回動は、回動調整プレート１６、回動規制プレート１７によって制御されている。
【００２８】
回動調整プレート１６は、傾斜状の第２板状部材１２の、基端側（戸尻側）及び先端側（戸先側）に、水平方向ないしドア部座板１０の長さ方向に移動かつ固定自在にそれぞれ設けてある。回動調整プレート１６は、縦長方形状の板体であり、上下方向に間隔を存して水平状の長溝１６０が形成されており、長溝１６０を介して螺子２２によって、第２板状部材１２の両端部に水平方向に移動可能に取り付けられている。
【００２９】
丁番１４の第１板部１４１のピン受部１４３及び第２板部１４２のピン受部１４４に対する回動調整プレート１６の位置を調整することで、第１板状部材１１に対して第２板状部材１２が回動する時に、回動調整プレート１６の側端縁が当接するピン受部１４３の位置を調整することができ、丁番１４の第１板部１４１に対する第２板部１４２の最大回動角度が可変となる。
【００３０】
同様に、丁番１５の第１板部１５１のピン受部１５３及び第２板部１５２のピン受部１５４に対する回動調整プレート１６の位置を調整することで、第２板状部材１２と第３板状部材１３とが互いに回動する時に、回動調整プレート１６の側端縁が当接するピン受部１５４の位置を調整することができ、丁番１５の第１板部１５１に対する第２板部１５２の最大回動角度が可変となる。
【００３１】
回動規制プレート１７は、第１板状部材１１の傾斜部１１１の裏面側、第２板状部材１２の先端側の裏面側に、それぞれ装着されており、ドアが閉鎖状態において、回動規制プレート１７が、第２板状部材１２の基端側縁、第３板状部材１３の傾斜部１３１の基端側縁に、それぞれ近接対向している。したがって、第２板状部材１２の基端側縁、第３板状部材１３の傾斜部１３１の基端側縁が回動規制プレート１７と当接することで、第２板状部材１２は第１板状部材１１に対して、閉鎖状態からドアの開放方向とは反対方向へ回動することが規制され、第３板状部材１３は第２板状部材１２に対して、閉鎖状態からドアの開放方向とは反対方向へ回動することが規制されている。
【００３２】
ドア部座板１０の自由端、すなわち本体１００の戸先側端部と座板９の立ち上がり部９０とは係着手段を介して係脱自在となっており、係着手段としては、好適には、磁着手段が例示される。具体的には、ドア部座板１０の面部に鉄等の強磁性体からなる磁着プレートを設け、座板９の立ち上がり部９０の面部に磁石を設け、磁力によって、ドア部座板１０の自由端と座板９の立ち上がり部９０とを係脱自在に装着させる。
【００３３】
本発明に係る防火用スクリーンは、一つの好ましい態様では、エレベータの三方枠の開口部を閉鎖することに用いられる。図１、図２から明らかなように、スクリーンドア８の戸尻側端部、すなわち、回動基端部Ｒ１は、スクリーンドア８が閉鎖するべき開口部の縦枠３の外側（開口部の縦枠３よりも本体シート７の幅方向端部側）に位置している。一方、スクリーンドア８の戸尻側端部寄りのもう一つの回動部Ｒ２は、スクリーンドア８が閉鎖するべき開口部の縦枠３よりも開口部側で、かつ、開口部の縦枠３に近接するように位置している。防火用スクリーンの下端のドア部座板１０の回動基端部Ｒ１及び回動部Ｒ２の最大回動角度、開口部の縦枠３に対する回動基端部Ｒ１の位置（開口幅方向及び開口幅方向に直交する方向）、回動基端部Ｒ１と回動部Ｒ２との間の寸法（第２板状体１２の長さ寸法）は、図１、図２に示すように、ドア開放時に、ドア用座板１０が三方枠の一方の縦枠３に当接することなく、かつ、ドア用座板１０の本体１００が、縦枠３に近接した回動部Ｒ２を介してスクリーン本体７の面部に対して所定角度だけ回動して開口部を大きく取れるように設定されている。通常は、開口部の縦枠３に対する回動基端部Ｒ１の位置（開口幅方向及び開口幅方向に直交する方向）、及び、回動基端部Ｒ１と回動部Ｒ２との間の寸法（第２板状体１２の長さ寸法）は防火用スクリーンを設置した時に、予め決定されているので、防火用スクリーンの下端のドア部座板１０の回動基端部Ｒ１及び回動部Ｒ２の最大回動角度を、ドア用座板１０が三方枠の一方の縦枠３に当接することなく、かつ、ドア用座板１０の本体１００が、縦枠３に近接した回動部Ｒ２を介してスクリーン本体７の面部に対して回動して十分な開口部を形成できるような角度にそれぞれ設定する。尚、実施例では、ドア用座板１０の本体１００が、スクリーン本体７の面部に対して直角となるまで回動しているが、スクリーン本体７に対する本体１００の角度は直角に限定されるものではなく、適切な開口が形成できれば、９０度より大きくても、あるいは、９０度より小さくても良い。
【００３４】
このように構成された防火用スクリーンにおいて、防火用スクリーンの閉鎖時に、かご２内にいる者は、人力でスクリーンドア８の戸先側の磁着手段を解除し、スクリーンドア８を開放することで脱出する。図示の例では、かご２側のスクリーンドア８を手前に引いて開放し、もう一つのスクリーンドア８を押し開けるようにして、避難開口部を形成する。この時、ドア部座板１０の本体１００が回動部Ｒ２を介して回動可能となっているので、ドア部座板１０が三方枠の縦枠３に当接することなく、スクリーンドア８を開放して十分な避難用開口を形成することができる。開放されたスクリーンドア８は、スクリーンドア８の下端に設けたドア部座板９の自重で閉鎖位置に復帰する。ここで、丁番１４，１５の軸部（ピン１４０、１５０）は、スクリーンドア８の閉鎖状態において、軸部（ピン１４０，１５０）の下端側がスクリーンドア８の面から離隔するように傾斜させたので、スクリーンドア８の閉鎖状態においても、スクリーンドア８には、さらに閉鎖方向の力が作用することになる。
【００３５】
ドア部座板１０の二つの回動部Ｒ１、Ｒ２の最大回動角度、開口部の縦枠３に対する回動基端部Ｒ１の位置、回動基端部Ｒ１と回動部Ｒ２との間の寸法は、スクリーンドア８開放時に、ドア部座板１０が三方枠の縦枠３に当接しないように設定されているので、防火用スクリーンのメンテナンス時において、ドア部座板１０が三方枠の縦枠３に当接することがなく、メンテナンスの作業性が良好となる。
【００３６】
また、図示のものでは、丁番の両方の板状体に受孔があり、共通の軸部を有するものを示したが、丁番の形状や構成は、丁番の最大回動角度が可変とできるものであれば、図示のものに限定されず、一方の板状体に軸部、他方の板状体に受け部を有する（所謂、旗蝶番で構成する）ものでもよい。丁番の種類も図示ものに限定されず、例えば、軸部にベアリングを有するものであってもよい。
【産業上の利用可能性】
【００３７】
本発明は、エレベータの三方枠からなる開口部を閉鎖する防火用スクリーンに利用することができる。
【図面の簡単な説明】
【００３８】
【図１】エレベータ及びエレベータの開口部を閉鎖する防火用スクリーンの概略断面図である。防火用スクリーンには、前後に二つのスクリーンドアが設けてあり、両方のスクリーンドアの座板が共に、二つの回動部位を有している。
【図２】エレベータ及びエレベータの開口部を閉鎖する防火用スクリーンの概略断面図である。防火用スクリーンには、前後に二つのスクリーンドアが設けてあり、エレベータ側に位置するスクリーンドアの座板のみが二つの回動部位を有している。
【図３】三連のエレベータのそれぞれの出入り口を閉鎖する大幅の防火用スクリーンの断面図及び正面図である。
【図４】図３の正面図において、スクリーンドア下端部位の部分拡大図である。
【図５】ドア部座板の基端側（第１板状体、第２板状体、第３板状体）の構成を示す平面図及び正面図であり、調整プレートは省略されている。
【図６】ドア部座板の基端側（第１板状体、第２板状体、第３板状体）の構成を示す平面図、正面図であり、調整プレートが装着されている。
【図７】回動した状態を示す平面図であり、調整プレートが装着されている。
【図８】エレベータ及びエレベータの開口部を閉鎖する従来の防火用スクリーンの概略断面図である。
【符号の説明】
【００３９】
３  縦枠
７  スクリーン本体
８  スクリーンドア
９  本体部座板
１０  ドア部座板
Ｒ１  回動基端部
Ｒ２  回動部
【図１】
2006328884.tif 000003
【図２】
2006328884.tif 000004
【図３】
2006328884.tif 000005
【図４】
2006328884.tif 000006
【図５】
2006328884.tif 000007
【図６】
2006328884.tif 000008
【図７】
2006328884.tif 000009
【図８】
2006328884.tif 000010